(57)【要約】【課題】音声通信に対応した通信装置等を提供すること。【解決手段】多機能機１０は、電話回線網１００を介して、外部電話機１０１と音声通話を行う。多機能機１０は、音声通話の実行を許可可能な発呼者であるか否かを特定する識別情報を記憶部３２に予め記憶させる。被呼時において発呼者種別２０１を取得する。取得した発呼者種別２０１に基づいて、音声通話の実行可否を判断する。音声通話を実行不可と判断された場合に、発呼者側からの識別情報の入力を受け付ける。受け付けられた識別情報と、記憶部３２に記憶されている識別情報とが一致するか否かを判断する。音声通話を実行可能と判断される場合、および、受け付けられた識別情報と記憶されている識別情報とが一致すると判断される場合に、音声通話の開始操作を受け付けることを条件として、音声通話を実行する。【選択図】図６
2012075066.tif 000002
【特許請求の範囲】
【請求項１】
外部の通信網を介して、外部装置と音声通話を行う通信装置であって、
前記音声通話の実行を許可可能な発呼者であるか否かを特定する識別情報を記憶手段に予め記憶させる識別情報記憶制御手段と、
被呼時において発呼元情報を取得する発呼元情報取得手段と、
取得した前記発呼元情報に基づいて、前記音声通話の実行可否を判断する第１判断手段と、
前記第１判断手段で前記音声通話を実行不可と判断された場合に、発呼者側からの前記識別情報の入力を受け付ける受付手段と、
前記受付手段で受け付けられた前記識別情報と、前記記憶手段に記憶されている前記識別情報とが一致するか否かを判断する第２判断手段と、
前記第１判断手段で前記音声通話を実行可能と判断される場合、又は、前記第２判断手段で一致すると判断される場合に、前記音声通話の開始操作を受け付けることを条件として、前記音声通話を実行する通話実行手段と、
を備えることを特徴とする通信装置。
【請求項２】
前記識別情報は電話番号であり、
前記識別情報記憶制御手段は、少なくとも１つの前記電話番号を前記記憶手段に予め記憶させており、
前記第２判断手段は、前記受付手段で入力が受け付けられた前記電話番号と一致する前記電話番号が、前記記憶手段に記憶されている前記電話番号の中に存在するか否かを判断することを特徴とする請求項１に記載の通信装置。
【請求項３】
前記識別情報記憶制御手段は、発呼者特定情報を前記電話番号に対応付けて前記記憶手段へ予め記憶させており、
前記受付手段で入力が受け付けられた前記電話番号と一致する前記電話番号が前記記憶手段に記憶されていると前記第２判断手段で判断された場合に、前記記憶手段に記憶されている前記電話番号に対応付けられている前記発呼者特定情報を、前記通信装置が備える表示手段へ表示する表示手段をさらに備えることを特徴とする請求項２に記載の通信装置。
【請求項４】
前記識別情報は予め定められたパスワードであり、
前記第２判断手段は、前記受付手段で入力が受け付けられた前記パスワードと、前記記憶手段に記憶されている前記パスワードとが一致するか否かを判断することを特徴とする請求項１に記載の通信装置。
【請求項５】
前記識別情報記憶制御手段は、前記音声通話の実行可否情報を前記電話番号に対応付けて前記記憶手段へ予め記憶させており、
前記第１判断手段は、前記発呼元情報が発呼側の前記電話番号である場合に、発呼側の前記電話番号と一致する前記電話番号が前記記憶手段に記憶されている場合には、前記記憶手段に記憶されている前記電話番号に対応付けられている前記実行可否情報に基づいて前記音声通話の実行可否を判断することを特徴とする請求項１ないし４の何れか１項に記載の通信装置。
【請求項６】
前記第１判断手段は、前記発呼元情報が、発呼側の前記電話番号である場合には、発呼側の前記電話番号と一致する前記電話番号が前記記憶手段に記憶されているか否かを検出し、検出されない場合には前記音声通話を実行不可と判断することを特徴とする請求項１ないし５の何れか１項に記載の通信装置。
【請求項７】
前記第１判断手段は、前記発呼元情報が、発呼側の前記電話番号を通知しない旨の情報である場合には、前記音声通話を実行不可と判断することを特徴とする請求項１ないし６の何れか１項に記載の通信装置。
【請求項８】
前記第１判断手段は、前記発呼元情報が、公衆電話からの発呼である旨の情報である場合には、前記音声通話を実行不可と判断することを特徴とする請求項１ないし７の何れか１項に記載の通信装置。
【請求項９】
外部の通信網を介して、外部装置と音声通話を行う通信装置の制御方法であって、
前記音声通話の実行を許可可能な発呼者であるか否かを特定する識別情報を記憶手段に予め記憶させる識別情報記憶制御手段と、
被呼時において発呼元情報を取得する発呼元情報取得手段と、
取得した前記発呼元情報に基づいて、前記音声通話の実行可否を判断する第１判断手段と、
前記第１判断手段で前記音声通話を実行不可と判断された場合に、発呼者側からの前記識別情報の入力を受け付ける受付手段と、
前記受付手段で受け付けられた前記識別情報と、前記記憶手段に記憶されている前記識別情報とが一致するか否かを判断する第２判断手段と、
前記第１判断手段で前記音声通話を実行可能と判断される場合、又は、前記第２判断手段で一致すると判断される場合に、前記音声通話の開始操作を受け付けることを条件として、前記音声通話を実行する通話実行手段と、
を備えることを特徴とする通信装置の制御方法。
【発明の詳細な説明】
【技術分野】
【０００１】
本願は、音声通信に対応した通信装置および通信装置の制御方法に関する。
【背景技術】
【０００２】
従来の技術において、電話による悪質な勧誘や詐欺などの防止策として、ナンバーディスプレイ機能を利用した着信拒否が行われている。着信拒否の方法の一例としては、あらかじめ拒否する相手の電話番号を登録しておき、電話着信時に通知された電話番号が登録された番号と一致する場合には、着信を拒否する方法が挙げられる。また、電話番号が非通知の着信である場合や、公衆電話からの着信である場合には、着信を拒否する方法が挙げられる。
【先行技術文献】
【特許文献】
【０００３】
【特許文献１】特開２００１−２３０８５６号公報
【発明の概要】
【発明が解決しようとする課題】
【０００４】
通信装置が、非通知の着信や公衆電話からの着信を拒否する設定とされている場合に、詐欺などの悪意を有した発呼者ではなく、ユーザの知り合いなどが非通知設定がされている電話機や公衆電話などを用いて電話をかけてくる場合がある。このような場合に、着信拒否してしまうと、知り合いであっても通話を行うことができないため、問題である。本明細書では、このような不便性を解消することができる技術を提供する。
【課題を解決するための手段】
【０００５】
本願の通信装置は、外部の通信網を介して、外部装置と音声通話を行う通信装置である。本願の通信装置は、音声通話の実行を許可可能な発呼者であるか否かを特定する識別情報を記憶手段に予め記憶させる識別情報記憶制御手段と、被呼時において発呼元情報を取得する発呼元情報取得手段と、取得した発呼元情報に基づいて、音声通話の実行可否を判断する第１判断手段と、第１判断手段で音声通話を実行不可と判断された場合に、発呼者側からの識別情報の入力を受け付ける受付手段と、受付手段で受け付けられた識別情報と、記憶手段に記憶されている識別情報とが一致するか否かを判断する第２判断手段と、第１判断手段で音声通話を実行可能と判断される場合、又は、第２判断手段で一致すると判断される場合に、音声通話の開始操作を受け付けることを条件として、音声通話を実行する通話実行手段と、を備える。
【０００６】
請求項１に記載の通信装置によれば、第１判断手段によって、発呼元情報に基づいて音声通話の実行可否を判断することで、着信を拒否することができる。また、第１判断手段で着信が拒否された場合においても、発呼者側から入力された識別情報が記憶手段に記憶されている識別情報と一致すると第２判断手段で判断された場合には、着信を許可することができる。これにより、着信を許可してもよい発呼者（ユーザの知り合いなど）が、着信拒否対象の電話機を用いて電話をかけてきたために着信拒否されてしまう場合においても、識別情報を用いることで、着信を許可することができる。よって、着信を許可してもよい発呼者であっても通話を行うことができない、という事態を回避することが可能となる。
【０００７】
また、請求項２に記載の通信装置によれば、着信の可否を判断するための識別情報として、電話番号を使用することができる。発呼者は、自己が普段使用する電話番号を記憶している。また、被呼者も、発呼者が普段使用する電話番号は、記憶手段に記憶させている。よって、識別情報に電話番号を用いることで、新たに別途の識別情報を生成し、発呼者が覚えておく必要や、被呼者が記憶手段に記憶させておく必要がない。これにより、ユーザの利便性をさらに高めることができる。
【０００８】
また、請求項３に記載の通信装置によれば、発呼者から入力された電話番号が、記憶手段に予め記憶されていた場合には、当該電話番号に対応付けられた発呼者特定情報（氏名など）が、表示手段へ表示される。これにより被呼者は、発呼者をより特定しやすくなるため、ユーザの利便性をより高めることができる。
【０００９】
また、請求項４に記載の通信装置によれば、着信の可否を判断するための識別情報として、パスワードを使用することができる。これにより、発呼者に関する情報（例：発呼者が普段使用する電話番号など）が記憶手段に記憶されていない場合においても、着信を許可してもよい発呼者である旨を認識することが可能となる。
【００１０】
また、請求項５に記載の通信装置によれば、着信を拒否したい電話番号を予め記憶させておくことができる。よって、請求項１の効果に加えて、着信拒否したい発呼者を、確実に拒否することが可能となる。
【００１１】
また、請求項６に記載の通信装置によれば、請求項１の効果に加えて、記憶手段に記憶されていない電話番号から着信した場合に、当該着信を拒否することができる。
【００１２】
また、請求項７に記載の通信装置によれば、請求項１の効果に加えて、発呼側の電話番号が非通知である場合に、着信を拒否することができる。
【００１３】
また、請求項８に記載の通信装置によれば、請求項１の効果に加えて、発呼側が公衆電話から電話をかけてきた場合に、着信を拒否することができる。
【図面の簡単な説明】
【００１４】
【図１】通信システムの構成の一例を示す図である。
【図２】多機能機動作を説明するフローチャート（その１）である。
【図３】多機能機動作を説明するフローチャート（その２）である。
【図４】多機能機動作を説明するフローチャート（その３）である。
【図５】多機能機動作を説明するフローチャート（その４）である。
【図６】多機能機動作を説明するフローチャート（その５）である。
【図７】着信拒否テーブルの一例を示す図である。
【図８】電話番号帳テーブルの一例を示す図である。
【発明を実施するための形態】
【００１５】
図１に、本願に係る第１実施形態として例示される通信システム１のブロック図を示す。通信システム１は、多機能機１０、電話回線網１００、外部電話機１０１を備える。多機能機１０は、電話回線網１００を介して外部電話機１０１に接続されている。多機能機１０および外部電話機１０１は、発呼者の電話番号を表示部に表示する、ナンバーディスプレイ機能に対応している機器である。
【００１６】
多機能機１０の構成について説明する。多機能機１０は、ＣＰＵ１６、記憶部３２、音声ＩＣ１４（ＣＯＤＥＣ）、モデム部１５、受話器１７、操作部２２、表示部２４、印刷部２６、スキャナ部２８、を備える。これらの構成要素は、互いに通信可能に接続されている。
【００１７】
ＣＰＵ１６は、記憶部３２に記憶されているプログラム４２に従って、様々な処理を実行する。またＣＰＵ１６は、記憶部３２、音声ＩＣ１４等に関する各種の制御を行う。
【００１８】
記憶部３２は、プログラム４２を記憶する。プログラム４２は、基本プログラム（図示省略）等を含む。基本プログラムは、印刷部２６に印刷を実行させるためのプログラム、スキャナ部２８にスキャンを実行させるためのプログラム等を含む。また記憶部３２は、着信拒否テーブルＴＢ１、電話番号帳テーブルＴＢ２、設定記憶領域３９を備える。
【００１９】
（着信拒否テーブルＴＢ１）
図７に、着信拒否テーブルＴＢ１の一例を示す。着信拒否テーブルＴＢ１は、発呼者種別２０１、着信時動作設定２０２、パスワード２０３、登録電話番号受付２０４、受付メッセージ２０５、を記憶する。発呼者種別２０１には、「非通知」、「公衆電話」、「表示圏外」、「登録外」、の４つの種別がある。これらの種別は、ナンバーディスプレイ情報によって識別される。「非通知」は、発呼者が自分の番号の通知を許可しないという手続きをしたために、発呼者の電話番号が通知されない種別である。「公衆電話」は、公衆電話からの発信であるため電話番号が通知されない種別である。「表示圏外」は、発信番号通知の機能を備えていない電話網から接続（発呼）が行われた場合の種別である。「登録外」は、発呼者から通知された電話番号が、電話番号帳テーブルＴＢ２に登録されていない場合の種別である。
【００２０】
着信時動作設定２０２は、発呼者種別２０１に応じて、着信時の動作を割り当てる設定である。着信時動作設定２０２で割り当て可能な着信時動作には、「識別情報受付」、「ＴＥＬ」、「着信拒否」、の３つの種別がある。「識別情報受付」の着信時動作は、発呼者から正しい識別情報が入力された場合に、通話を許可する動作である。「ＴＥＬ」の着信時動作は、被呼時に着信音を鳴動させる動作である。「着信拒否」の着信時動作は、着信を拒否する動作である。例えば、着信音を鳴動させずに電話回線を閉結し、通話不可である旨のメッセージを所定回数再生した後に、自動的に電話回線を開放する動作が挙げられる。
【００２１】
パスワード２０３は、識別情報の一種である。識別情報は、音声通話の実行を許可可能な発呼者であるか否かを識別するための情報である。パスワード２０３には、ＤＴＭＦ（Dual-Tone Multi-Frequency）信号で送受信可能な符号（例：０から９までの数字）が用いられる。パスワード２０３の一例としては、４桁の数字列が挙げられる。パスワード２０３は、音声通話を許可する発呼者に対して、予め通知しておく必要がある。登録電話番号受付２０４は、識別信号として、電話番号を用いるか否かの設定である。登録電話番号受付２０４が「する」の設定の場合には、電話番号帳テーブルＴＢ２に登録されている電話番号２１２が、識別情報として使用される。また、登録電話番号受付２０４が「しない」の設定の場合には、電話番号２１２が識別情報として使用されない。
【００２２】
受付メッセージ２０５は、「識別情報受付」の着信時動作が行われる際に、Ｓ２１１（図６）で再生されるメッセージの内容を決定する設定である。受付メッセージ１は、「識別情報受付」が行われていることを、発呼者側に通知しないメッセージである。受付メッセージ１の一例としては、「この電話はおつなぎできません」のように、識別情報受付が機能することを知らせない内容が挙げられる。受付メッセージ１を用いることで、識別情報のみならず、「識別情報受付」が行われていることも認識している発呼者のみに対して、着信を許可することが可能となる。一方、受付メッセージ２は、「識別情報受付」が行われていることを、発呼者側に通知するメッセージである。受付メッセージ２の一例としては、「あなた様に通話が許可されていることを確認するので、識別情報を入力してください。入力し終わったら「＃」を押してください。」のような内容が挙げられる。受付メッセージ２を用いることで、識別情報を知っている発呼者に対して、着信を許可することが可能となる。
【００２３】
（電話番号帳テーブルＴＢ２）
図８に、電話番号帳テーブルＴＢ２の一例を示す。電話番号帳テーブルＴＢ２は、着信鳴り分け設定を記憶するテーブルである。電話帳登録されている個別の番号に対する設定である。電話番号帳テーブルＴＢ２は、識別番号２１１、電話番号２１２、名称２１３、着信識別設定２１４、着信音２１５、パスワード２１６、登録電話番号受付２１７、受付メッセージ２１８、を備える。識別番号２１１は、電話番号帳テーブルＴＢ２に記憶されている複数の電話番号２１２の各々を識別するための番号である。名称２１３は、電話番号２１２を有している発呼者の名称である。
【００２４】
着信識別設定２１４は、電話番号帳テーブルＴＢ２に登録されている電話番号２１２の各々に対して、個別に着信時動作を割り当てるための設定である。着信識別設定２１４で割り当て可能な着信時動作には、「迷惑指定」、「ＦＡＸ」、「ＴＥＬ」、「識別情報受付」、「着信拒否」、の５つの種別がある。「迷惑指定」の着信時動作は、着信音を鳴動させない動作である。「ＦＡＸ」の着信時動作は、着信音を鳴動させずに、自動的にＦＡＸデータを受信する動作である。なお、「識別情報受付」「ＴＥＬ」「着信拒否」の着信時動作は、着信拒否テーブルＴＢ１で説明した動作と同様であるため、ここでは説明を省略する。
【００２５】
着信音２１５は、多機能機１０の鳴動時の音の種類の設定である。パスワード２１６、登録電話番号受付２１７、受付メッセージ２１８は、着信拒否テーブルＴＢ１で説明したパスワード２０３、登録電話番号受付２０４、受付メッセージ２０５と同様であるため、ここでは説明を省略する。
【００２６】
設定記憶領域３９（図１）は、留守モード、規定鳴動回数や、多機能機１０の各種の設定を記憶する領域である。留守モードは、留守番電話機能の動作の可否を決定する設定であり、「在宅」モードの場合には留守番電話機能が動作せず、「留守電」モードの場合には留守番電話機能が機能する。規定鳴動回数は、Ｓ９５の処理において、電話回線を閉結するまでの着信音の鳴動回数を規定する設定である。留守モードや規定鳴動回数は、予めユーザによって設定されるとしてもよい。なお、記憶部３２は、ＲＡＭ、ＲＯＭ、フラッシュメモリ、ＨＤＤなどが組み合わされて構成されているとしてもよい。
【００２７】
音声ＩＣ１４（ＣＯＤＥＣ）は、データのエンコード（符号化）とデコード（復号）を行う。また音声ＩＣ１４は、ＤＴＭＦ信号を受信する。また音声ＩＣ１４は、モデム部１５または受話器１７の何れを電話回線網１００に接続するかを選択する。モデム部１５は、電話回線網１００を介した外部電話機１０１との音声信号の送受信を制御する。操作部２２は、ユーザの入力操作を受け付ける複数のボタンを備える。表示部２４は、様々な情報を表示する。スキャナ部２８は、文書等を読取ってスキャンデータを生成する。印刷部２６は、外部装置から受信した印刷データや、スキャナ部２８によって生成されたスキャンデータを印刷媒体に印刷する。
【００２８】
（設定登録処理）
多機能機１０の各種の設定を登録する設定登録処理について、図２のフローを用いて説明する。図２のフローは、多機能機１０の電源が投入されている間において、常に実行されるフローである。Ｓ３１１において、ＣＰＵ１６は、操作部２２で行われるユーザ操作を受け付けたか否かを判断する。受け付けていない場合（Ｓ３１１：ＮＯ）にはＳ３１１へ戻り待機し、受け付けた場合（Ｓ３１１：ＹＥＳ）にはＳ３１３へ進む。ユーザによって操作部２２が操作されると、表示部２４に設定メニューが表示される。
【００２９】
Ｓ３１３において、ＣＰＵ１６は、電話番号等を登録するメニューがユーザによって選択されたか否かを判断する。選択されていない場合（Ｓ３１３：ＮＯ）にはＳ３１７へ進み、選択された場合（Ｓ３１３：ＹＥＳ）にはＳ３１５へ進む。Ｓ３１５において、ＣＰＵ１６は、ユーザによる電話番号２１２および名称２１３の入力を、操作部２２を介して受け付け、電話番号帳テーブルＴＢ２（図８）に記憶する。
【００３０】
Ｓ３１７において、ＣＰＵ１６は、識別情報を設定するメニューがユーザによって選択されたか否かを判断する。選択されていない場合（Ｓ３１７：ＮＯ）にはＳ３２１へ進み、選択された場合（Ｓ３１７：ＹＥＳ）にはＳ３１９へ進む。Ｓ３１９において、ＣＰＵ１６は、ユーザによる識別情報の設定を、操作部２２を介して受け付ける。Ｓ３１９では、着信拒否テーブルＴＢ１のパスワード２０３の入力や、電話番号帳テーブルＴＢ２のパスワード２１６の入力が受け付けられる。また、着信拒否テーブルＴＢ１の登録電話番号受付２０４の設定や、電話番号帳テーブルＴＢ２の登録電話番号受付２１７の設定の入力が受け付けられる。なお、「識別情報受付」の着信時動作を実行するためには、着信拒否テーブルＴＢ１において、パスワード２０３が入力されているか、または登録電話番号受付２０４が「する」の設定にされている必要がある。また、電話番号帳テーブルＴＢ２において、パスワード２１６が入力されているか、または登録電話番号受付２１７が「する」の設定にされている必要がある。
【００３１】
Ｓ３２１において、ＣＰＵ１６は、着信識別設定２１４を設定するメニューがユーザによって選択されたか否かを判断する。選択されていない場合（Ｓ３２１：ＮＯ）にはＳ３２５へ進み、選択された場合（Ｓ３２１：ＹＥＳ）にはＳ３２３へ進む。Ｓ３２３において、ＣＰＵ１６は、ユーザによる着信識別設定２１４の設定入力を、操作部２２を介して受け付け、電話番号帳テーブルＴＢ２（図８）に記憶する。
【００３２】
Ｓ３２５において、ＣＰＵ１６は、着信時動作設定２０２を設定するメニューがユーザによって選択されたか否かを判断する。選択されていない場合（Ｓ３２５：ＮＯ）にはＳ３１１へ戻り、選択された場合（Ｓ３２５：ＹＥＳ）にはＳ３２７へ進む。Ｓ３２７において、ＣＰＵ１６は、ユーザによる着信時動作設定２０２の設定入力を、操作部２２を介して受け付け、着信拒否テーブルＴＢ１（図７）に記憶する。そしてＳ３１１へ戻る。
【００３３】
（着信時動作）
本実施形態に係る多機能機１０の動作を、図３ないし図６のフロー図を用いて説明する。図３ないし図６のフローは、多機能機１０の電源が投入されている間に、常に実行されるフローである。Ｓ９において、ＣＰＵ１６は、電話回線で極性反転が検出されたか否かを判断する。極性反転は、各種の信号が交換機から送出開始される旨を、多機能機１０へ知らせるための信号である。各種の信号の一例としては、情報受信端末起動信号（ＣＡＲ信号）や呼出信号（ＩＲ信号）が挙げられる。極性反転が検出されない場合（Ｓ９：ＮＯ）にはＳ９へ戻り待機し、検出された場合（Ｓ９：ＹＥＳ）にはＳ１１へ進む。
【００３４】
Ｓ１１において、ＣＰＵ１６は、一次閉結を行う。一次閉結が行われることにより、情報受信端末起動信号に対して一次応答が行われる。Ｓ１３において、ＣＰＵ１６は、ナンバーディスプレイ情報を受信する。Ｓ１５において、ＣＰＵ１６は、回線を開放することで、受信完了信号を交換機へ送信する。
【００３５】
Ｓ１７において、ＣＰＵ１６は、受信したナンバーディスプレイ情報の発呼者種別２０１が、非通知（Ｐ）、公衆電話（Ｃ）、表示圏外（Ｏ）の何れかであるかを判断する。発呼者種別が非通知、公衆電話、表示圏外の何れかである場合（Ｓ１７：ＹＥＳ）にはＳ１９へ進む。Ｓ１９において、ＣＰＵ１６は、各々の発呼者種別２０１に対応する着信時動作設定２０２を、着信拒否テーブルＴＢ１から取得する。Ｓ２１において、ＣＰＵ１６は、発呼者種別２０１に応じて、「非通知」「公衆電話」「表示圏外」の文字列を表示部２４に表示する。そしてＳ３７へ進む。
【００３６】
一方、Ｓ１７において、発呼者種別が非通知、公衆電話、表示圏外の何れでもない場合（Ｓ１７：ＮＯ）には、電話番号が通知されている場合と判断され、Ｓ２３へ進む。Ｓ２５において、ＣＰＵ１６は、通知された電話番号が、電話番号帳テーブルＴＢ２に登録済みであるか否かを判断する。具体的には、ＣＰＵ１６は、通知された電話番号と一致する電話番号が存在するか否かを、電話番号帳テーブルＴＢ２に登録されている全ての電話番号２１２中から検索する。登録済みの場合（Ｓ２５：ＹＥＳ）にはＳ２７へ進み、ＣＰＵ１６は、登録済みの電話番号２１２に対して設定されている着信識別設定２１４を、電話番号帳テーブルＴＢ２から取得する。また、Ｓ２９において、ＣＰＵ１６は、登録済みの電話番号２１２に対応して記憶されている名称２１３を電話番号帳テーブルＴＢ２から取得し、表示部２４に表示する。そしてＳ３７へ進む。
【００３７】
一方、Ｓ２５において、通知された電話番号が電話番号帳テーブルＴＢ２に登録済みでない場合（Ｓ２５：ＮＯ）には、発呼者種別２０１が「登録外」であると判断され、Ｓ３３へ進む。Ｓ３３において、ＣＰＵ１６は、「登録外」の発呼者種別２０１に対応付けられている着信時動作設定２０２を、着信拒否テーブルＴＢ１から取得する。また、Ｓ３５において、ＣＰＵ１６は、受信した電話番号を表示部２４に表示する。
【００３８】
Ｓ３７において、ＣＰＵ１６は、呼出信号を交換機から受信したか否かを判断する。受信しなかった場合（Ｓ３７：ＮＯ）にはフローを終了し、受信した場合（Ｓ３７：ＹＥＳ）にはＳ４１（図４）へ進む。Ｓ４１において、ＣＰＵ１６は、Ｓ１９またはＳ３３で取得された着信時動作設定２０２に基づいて、または、Ｓ２７で取得された着信識別設定２１４に基づいて、着信時動作を決定する。Ｓ４１では、「識別情報受付」、「着信拒否」、「ＦＡＸ」、「迷惑指定」、「ＴＥＬ」、の５つの着信時動作のうちから、１つの着信時動作が決定される。
【００３９】
Ｓ４１において、「識別情報受付」の着信時動作に決定された場合には、Ｓ５１へ進む。Ｓ５１で行われる、「識別情報受付」の着信時動作の内容を、図５のフローを用いて説明する。
【００４０】
Ｓ１１１において、ＣＰＵ１６は、電話回線を閉結する。Ｓ１１３において、ＣＰＵ１６は、識別情報入力受付処理を実行する。図６を用いて、Ｓ１１３で実行される識別情報入力受付処理の内容を説明する。Ｓ２１１において、ＣＰＵ１６は、受付メッセージ２０５または受付メッセージ２１８を読み出し、メッセージの再生を開始する。またＣＰＵ１６は、受付メッセージ再生中において、発呼者からのＤＴＭＦ信号を用いた識別情報の入力を受け付ける。
【００４１】
Ｓ２１３において、ＣＰＵ１６は、発呼者が電話回線を切断（オンフック）したか否かを判断する。オンフックした場合（Ｓ２１３：ＹＥＳ）にはＳ２３１へ進み、ＣＰＵ１６は、電話回線を切断する旨を、一時的に設定記憶領域３９に記憶する。一方、オンフックしていない場合（Ｓ２１３：ＮＯ）には、Ｓ２１５へ進む。Ｓ２１５において、ＣＰＵ１６は、受付メッセージの再生が終了したか否かを判断する。受付メッセージの再生が終了した場合（Ｓ２１５：ＹＥＳ）にはＳ２３１へ進み、ＣＰＵ１６は、電話回線を切断する旨を、一時的に設定記憶領域３９に記憶する。一方、受付メッセージの再生が終了していない場合（Ｓ２１５：ＮＯ）には、Ｓ２１７へ進む。
【００４２】
Ｓ２１７において、ＣＰＵ１６は、ＤＴＭＦ信号を受信したか否かを判断する。受信していない場合（Ｓ２１７：ＮＯ）にはＳ２１３へ戻り、受信した場合（Ｓ２１７：ＹＥＳ）にはＳ２１９へ進む。Ｓ２１９において、ＣＰＵ１６は、識別情報終端記号である「＃」を表すＤＴＭＦ信号を受信したか否かを判断する。識別情報終端記号を受信していない場合（Ｓ２１９：ＮＯ）にはＳ２１３へ戻り、識別情報の入力受付処理を続行する。一方、識別情報終端記号を受信した場合（Ｓ２１９：ＹＥＳ）には、識別情報の入力が完了したと判断され、Ｓ２２３へ進む。このように、識別情報終端記号を用いることで、４桁のパスワードが入力される場合と、電話番号が入力される場合とを区別することが可能となる。
【００４３】
Ｓ２２３において、ＣＰＵ１６は、受信した識別情報が、電話番号帳テーブルＴＢ２に登録されている電話番号２１２の何れかと一致するか否かを判断する。一致する場合（Ｓ２２３：ＹＥＳ）には、Ｓ２２７へ進み、ＣＰＵ１６は、電話番号による識別情報の受信完了の旨を一時的に設定記憶領域３９に記憶して、Ｓ１１５（図５）へ進む。一方、一致しない場合（Ｓ２２３：ＮＯ）には、Ｓ２２５へ進む。
【００４４】
Ｓ２２５において、ＣＰＵ１６は、受信した識別情報が、着信拒否テーブルＴＢ１に登録されているパスワード２０３の何れかと一致するか否か、または、電話番号帳テーブルＴＢ２に登録されているパスワード２１６の何れかと一致するか否かを判断する。一致しない場合（Ｓ２２５：ＮＯ）にはＳ２１３へ戻り、一致する場合（Ｓ２２５：ＹＥＳ）にはＳ２２９へ進む。Ｓ２２９において、ＣＰＵ１６は、パスワードによる識別情報の受信完了の旨を、一時的に設定記憶領域３９に記憶する。そしてＳ１１５（図５）へ進む。
【００４５】
Ｓ１１５において、ＣＰＵ１６は、識別情報の受付結果を判断する。当該判断は、設定記憶領域３９の記憶内容に基づいて行われる。電話回線を切断する旨の結果である場合には、Ｓ１４１へ進んで電話回線が切断される。一方、Ｓ１１５において、電話番号による識別情報の受信完了と判断される場合には、Ｓ１１７に進み、ＣＰＵ１６は、受信した電話番号に対応する名称２１３を電話番号帳テーブルＴＢ２から読み出して、表示部２４へ表示する。そしてＳ１１９へ進む。また、Ｓ１１５において、パスワードによる識別情報の受信完了と判断される場合には、Ｓ１１９へ進む。
【００４６】
Ｓ１１９において、ＣＰＵ１６は、留守モードが「在宅」「留守電」の何れに設定されているかを、設定記憶領域３９から読み出す。留守モードが「在宅」である場合には、Ｓ１２１へ進み、ＣＰＵ１６は、再呼出音の鳴動を開始する。ここで、再呼出音は、電話回線の閉結後に鳴動する呼出音である。再呼出音の鳴動中の期間においては、発呼側に対して、呼び出し中を示す旨のベル音が送信される。
【００４７】
Ｓ１２３において、ＣＰＵ１６は、発呼者が電話回線を切断（オンフック）したか否かを判断する。オンフックした場合（Ｓ１２３：ＹＥＳ）にはＳ１４１へ進み、オンフックしていない場合（Ｓ１２３：ＮＯ）にはＳ１２５へ進む。Ｓ１２５において、ＣＰＵ１６は、ユーザが受話器１７の受話器をオフフックしたか否かを判断する。オフフックしていない場合（Ｓ１２５：ＮＯ）にはＳ１２３へ戻り、オフフックした場合（Ｓ１２５：ＹＥＳ）にはＳ１２７へ進んで通話を開始する。
【００４８】
Ｓ１２９において、ＣＰＵ１６は、受話器１７の受話器がオンフックされたか否かを判断する。オンフックされていない場合（Ｓ１２９：ＮＯ）には通話中であると判断され、Ｓ１２９へ戻って待機する。一方、オンフックされた場合（Ｓ１２９：ＹＥＳ）には、通話が終了したと判断され、Ｓ１４１へ進んで電話回線を切断する。そしてフローを終了する。
【００４９】
一方、Ｓ１１９において、留守モードが「留守電」である場合には、Ｓ１３１へ進む。Ｓ１３１において、ＣＰＵ１６は、留守応答メッセージの再生を開始する。Ｓ１３３において、ＣＰＵ１６は、発呼者が電話回線を切断（オンフック）したか否かを判断する。オンフックした場合（Ｓ１３３：ＹＥＳ）にはＳ１４１へ進み、オンフックしていない場合（Ｓ１３３：ＮＯ）にはＳ１３５へ進む。Ｓ１３５において、ＣＰＵ１６は、発呼者のメッセージの録音が終了したか否かを判断する。終了していない場合（Ｓ１３５：ＮＯ）にはＳ１３３へ戻り、終了した場合（Ｓ１３５：ＹＥＳ）にはＳ１４１へ進んで電話回線を切断する。
【００５０】
図４へ戻り、Ｓ４１において、「着信拒否」の着信時動作に決定された場合には、Ｓ７１へ進む。Ｓ７１において、ＣＰＵ１６は、電話回線を閉結する。このとき、着信音は鳴動させない。Ｓ７３において、ＣＰＵ１６は、拒否メッセージの再生を開始する。拒否メッセージの内容は、発呼者種別２０１に応じて決定される。発呼者種別２０１が「非通知」の場合には、「恐れ入りますが、電話番号の前に“１８６”を付けて電話番号を通知しておかけ直しください。」という内容の拒否メッセージを再生する。また、発呼者種別２０１が「公衆電話」の場合には、「公衆電話からおかけになった電話は、都合によりお受けできません。」という内容の拒否メッセージを再生する。また、発呼者種別２０１が「表示圏外」の場合には、「ナンバーディスプレイ機能を有さない電話からおかけになった電話は、都合によりお受けできません。」という内容の拒否メッセージを再生する。これらの拒否メッセージは、所定回数繰り返して再生してもよい。
【００５１】
Ｓ７５において、ＣＰＵ１６は、発呼者が電話回線を切断（オンフック）したか否かを判断する。オンフックした場合（Ｓ７５：ＹＥＳ）にはＳ７９へ進み、オンフックしていない場合（Ｓ７５：ＮＯ）にはＳ７７へ進む。Ｓ７７において、ＣＰＵ１６は、拒否メッセージの再生が終了したか否かを判断する。終了していない場合（Ｓ７７：ＮＯ）にはＳ７５へ戻り、終了した場合（Ｓ７７：ＹＥＳ）にはＳ７９へ進む。Ｓ７９において、ＣＰＵ１６は、電話回線を切断する。そしてフローを終了する。
【００５２】
また、Ｓ４１において、「ＦＡＸ」の着信時動作に決定された場合には、Ｓ８１へ進む。Ｓ８１において、ＣＰＵ１６は、電話回線を閉結する。Ｓ８３において、ＣＰＵ１６は、ＦＡＸデータの受信処理を行う。受信処理が終了するとＳ８５へ進み、ＣＰＵ１６は、電話回線を切断する。そしてフローを終了する。
【００５３】
またＳ４１において、「迷惑指定」の着信時動作に決定された場合には、電話回線を閉結することなく、Ｓ８７へ進む。このとき、着信音を鳴動させない。また、発呼側には、通常の呼び出し音が聞こえている状態である。Ｓ８７において、ＣＰＵ１６は、呼出信号が検出されているか否かを判断する。検出されている場合（Ｓ８７：ＹＥＳ）にはＳ８７へ戻り待機し、検出されなくなった場合（Ｓ８７：ＮＯ）にはフローを終了する。これにより、回線を閉結せず、発呼者の呼び出し動作が終了することを待つことができる。また、呼び出し動作の終了を待つ間、着信音は鳴動しないため、ユーザが煩わされることがない。
【００５４】
またＳ４１において、「ＴＥＬ」の着信時動作に決定された場合には、Ｓ９１に進み、ＣＰＵ１６は、着信音の鳴動を開始する。Ｓ９３において、ＣＰＵ１６は、ユーザが受話器１７の受話器をオフフックしたか否かを判断する。オフフックした場合（Ｓ９３：ＹＥＳ）にはＳ１２７（図５）へ進み、通話を開始する。一方、オフフックしていない場合（Ｓ９３：ＮＯ）にはＳ９５へ進む。Ｓ９５において、ＣＰＵ１６は、着信音の鳴動回数が、設定記憶領域３９に記憶されている規定鳴動回数に到達したか否かを判断する。到達していない場合（Ｓ９５：ＮＯ）にはＳ９３へ戻り、到達した場合（Ｓ９５：ＹＥＳ）にはＳ９７へ進む。Ｓ９７において、ＣＰＵ１６は、電話回線を閉結する。そしてＳ１１９（図５）へ進む。
【００５５】
（効果）
本実施形態に係る多機能機１０の効果を説明する。例えば、着信を許可してもよい発呼者（ユーザの知り合いなど）が、外出先などにおいて、普段は使用しない電話機（公衆電話や他人の携帯電話など）を用いて発呼してくる場合がある。このとき、受信側の電話機の設定が、ナンバーディスプレイ情報が「公衆電話」や「非通知」などの場合に着信拒否を行う設定とされていると、着信を許可してよい発呼者であっても通話を行うことができなくなる。しかし、本実施形態に係る多機能機１０では、着信拒否テーブルＴＢ１（図７）に示すように、「識別情報受付」の着信時動作設定２０２をさらに備えている。そして、「公衆電話」や「非通知」などの発呼者種別２０１に区分される発呼者に対して「識別情報受付」の動作を行うことにより、識別情報を知らない発呼者に対しては着信を拒否し（Ｓ２３１）、識別情報を知っている発呼者のみに着信を許可する（Ｓ２２７、Ｓ２２９）ことができる。これにより、着信を許可してもよい発呼者に対して識別情報を通知しておけば、当該発呼者が何れの電話機から発呼する場合においても、通話を可能とすることが可能となる。
【００５６】
また、本実施形態に係る多機能機１０では、電話番号帳テーブルＴＢ２（図８）に示すように、電話番号２１２の各々に対して、個別に「識別情報受付」の着信識別設定２１４を割り当てることができる。これにより、例えば、共用の携帯電話など、複数人が使用する電話機の電話番号２１２を電話番号帳テーブルＴＢ２に登録しておく場合において、「識別情報受付」の動作を行うことにより、識別情報を知っている発呼者のみに着信を許可することができる。よって、共用の携帯電話から着信した場合においても、通話を許可してもよい発呼者であるか否かを識別することが可能となる。
【００５７】
また、本実施形態に係る多機能機１０によれば、登録電話番号受付２０４および登録電話番号受付２１７を「する」の設定とすることで、着信の可否を判断するための識別情報として、電話番号を使用することができる。発呼者は、自己が普段使用する電話番号を記憶している。また、被呼者も、発呼者が普段使用する電話番号は、電話番号帳テーブルＴＢ２に記憶させている。よって、識別情報に電話番号を用いることで、新たに別途の識別情報を生成し、発呼者が覚えておく必要や、被呼者が電話番号帳テーブルＴＢ２に記憶させておく必要がない。これにより、ユーザの利便性をさらに高めることができる。
【００５８】
また、本実施形態に係る多機能機１０によれば、発呼者から入力された電話番号が、電話番号帳テーブルＴＢ２に予め記憶されていた場合には、当該電話番号に対応付けられた名称２１３（発呼者の氏名など）が、表示部２４へ表示される。これによりユーザは、オフフック前において発呼者をより特定しやすくなるため、ユーザの利便性を高めることができる。
【００５９】
また、本実施形態に係る多機能機１０によれば、着信の可否を判断するための識別情報として、パスワードを使用することができる。これにより、発呼者が普段使用する電話番号が電話番号帳テーブルＴＢ２に記憶されていない場合においても、着信を許可してもよい発呼者である旨を認識することが可能となる。
【００６０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００６１】
（変形例）
着信拒否テーブルＴＢ１（図７）において、発呼者種別２０１に応じた着信時動作の割り当ては、自由な割り当てが可能である。例えば、発呼者種別２０１＝「非通知」に対して、着信時動作設定２０２＝「着信拒否」を割り当てる場合には、ナンバーディスプレイ情報が非通知である場合に、着信を拒否することができる。また例えば、発呼者種別２０１＝「公衆電話」に対して、着信時動作設定２０２＝「着信拒否」を割り当てる場合には、発呼側が公衆電話から電話をかけてきた場合に、着信を拒否することができる。また例えば、発呼者種別２０１＝「登録外」に対して、着信時動作設定２０２＝「着信拒否」を割り当てる場合には、電話番号帳テーブルＴＢ２に記憶されていない電話番号を有する発呼者から着信した場合に、着信を拒否することができる。
【００６２】
パスワード２０３および２１６は、４桁の数字に限られず、任意の桁数であってよい。また、パスワード２０３および２１６には、数字列に限られず、文字列を使用することも可能である。
【００６３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００６４】
なお、電話回線網１００は外部の通信網の一例である。外部電話機１０１は外部装置の一例である。多機能機１０は通信装置の一例である。パスワード２０３および２１６、電話番号２１２は識別情報の一例である。発呼者種別２０１は発呼元情報の一例である。オフフックは音声通話の開始操作の一例である。名称２１３は発呼者特定情報の一例である。
【００６５】
また、Ｓ３１５を実行する制御部は識別情報記憶制御手段の一例である。Ｓ１３を実行する制御部は発呼元情報取得手段の一例である。Ｓ４１を実行する制御部は第１判断手段の一例である。Ｓ１１３を実行する制御部は受付手段の一例である。Ｓ２２３、Ｓ２２５を実行する制御部は第２判断手段の一例である。Ｓ１２７を実行する制御部は通話実行手段の一例である。Ｓ１１７を実行する制御部は表示手段の一例である。
【符号の説明】
【００６６】
１０：多機能機、１６：ＣＰＵ、３２：記憶部、１００：電話回線網、１０１：外部電話機、２０１：発呼者種別、２０２：着信時動作設定、２０３および２１６：パスワード、２１２：電話番号、２１３：名称、２１４：着信識別設定
【図１】
2012075066.tif 000003
【図２】
2012075066.tif 000004
【図３】
2012075066.tif 000005
【図４】
2012075066.tif 000006
【図５】
2012075066.tif 000007
【図６】
2012075066.tif 000008
【図７】
2012075066.tif 000009
【図８】
2012075066.tif 000010